(57)【要約】【課題】  追加特殊文字ガイドを、解り易く画面表示する。【解決手段】  電子番組表が映像表示器１０４で表示されている状態において、制御部２２２が、メモリ２２５に保存された追加特殊文字ガイドデータを読み出し、ＯＳＤ信号生成部２１８でＯＳＤ信号を生成して、追加特殊文字ガイドを電子番組表に重畳させる。このとき、制御部２２２は、追加特殊文字ガイドが映像表示器１０４の画面の中央部に表示されるように制御する。また、ガイドする追加特殊文字が多数存在する場合には、頻繁に使われる文字を初期表示して、残りの文字をページ繰り形式あるいは、一括表示形式で切換表示するように構成した。  【選択図】図９
2006094231.tif 000002
【特許請求の範囲】
【請求項１】
放送番組に関する番組情報を取得する番組情報取得手段と、
前記番組情報に基づき、映像表示器の画面に番組表を表示するための映像信号を生成する番組表映像生成手段と、
予めメモリに記憶された前記番組表に用いられる追加特殊文字とその意味合いを示すデータを読み出して、前記追加特殊文字のガイドとして表示するための映像信号を生成するガイド映像生成手段と、
前記ガイド映像信号を、当該ガイド表示が前記映像表示器の画面の略中央の位置で行われるように前記番組表の映像信号に重畳する映像信号重畳手段と、
この映像信号重畳手段の出力を前記映像表示器の画面に表示すべく出力する出力手段と、
を具備したことを特徴とする映像信号出力装置。
【請求項２】
放送番組に関する番組情報を取得する番組情報取得手段と、
前記番組情報に基づき、映像表示器の画面に番組表を表示するための映像信号を生成する番組表映像生成手段と、
予めメモリに記憶された前記番組表に用いられる追加特殊文字とその意味合いを示すデータを読み出して、前記追加特殊文字のガイドとして複数の表示内容で切換表示可能に映像信号を生成するガイド映像生成手段と、
前記映像表示器で表示される前記ガイドの表示内容を切換えるべく前記ガイド映像生成手段を制御する制御手段と、
前記ガイド映像生成手段の出力映像信号を、そのガイド表示が前記映像表示器の画面の略中央の位置で行われるように前記番組表の映像信号に重畳する映像信号重畳手段と、
この映像信号重畳手段の出力を前記映像表示器の画面に表示すべく出力する出力手段と、
を具備したことを特徴とする映像信号出力装置。
【請求項３】
前記ガイド映像生成手段は、ガイド表示が予め選択された追加特殊文字に対するガイド表示と、他の追加特殊文字に対するガイド表示とで切換わるように前記制御手段で制御されるものであることを特徴とする請求項２に記載の映像信号出力装置。
【請求項４】
前記ガイド映像生成手段は、ガイド表示が予め選択された追加特殊文字に対するガイド表示と、全ての追加特殊文字に対するガイド表示とで切換わるように前記制御手段で制御されるものであることを特徴とする請求項２に記載の映像信号出力装置。
【請求項５】
放送番組に関する番組情報を取得する番組情報取得手段と、
前記番組情報に基づき、映像表示器の画面に番組表を表示するための映像信号を生成する番組表映像生成手段と、
前記番組情報から前記番組表で表示される追加特殊文字を検出する検出手段と、
前記検出された追加特殊文字に対応するガイドデータを、予め追加特殊文字とその意味合いを示すデータが記憶されたメモリから読み出して、前記追加特殊文字のガイドとして表示するための映像信号を生成するガイド映像生成手段と、
前記ガイド映像信号を、当該ガイド表示が前記映像表示器の画面の略中央の位置で行われるように前記番組表の映像信号に重畳する映像信号重畳手段と、
この映像信号重畳手段の出力を前記映像表示器の画面に表示すべく出力する出力手段と、
を具備したことを特徴とする映像信号出力装置。
【請求項６】
前記番組情報取得手段は、複数のソースから番組情報を取得するものであることを特徴とする請求項１乃至５のいずれかに記載の映像信号出力装置。
【請求項７】
放送番組に関する番組情報を取得するステップと、
前記番組情報に基づき、映像表示器の画面に番組表を表示するための映像信号を生成するステップと、
予めメモリに記憶された前記番組表に用いられる追加特殊文字とその意味合いを示すデータを読み出して、前記追加特殊文字のガイドとして表示するためのガイド映像信号を生成するステップと、
前記ガイド映像信号を、当該ガイド表示が前記映像表示器の画面の略中央の位置で行われるように前記番組表の映像信号に重畳するステップと、
この重畳された映像信号を前記映像表示器の画面に表示すべく出力するステップと、
を具備したことを特徴とする映像信号出力方法。
【請求項８】
放送番組に関する番組情報を取得するステップと、
前記番組情報に基づき、映像表示器の画面に番組表を表示するための映像信号を生成するステップと、
予めメモリに記憶された前記番組表に用いられる追加特殊文字とその意味合いを示すデータを読み出して、前記追加特殊文字のガイドとして複数の表示内容で切換表示可能に映像信号を生成するステップと、
前記映像表示器で表示される前記ガイドの表示内容を切換えるべく前記ガイド映像生成処理を制御するステップと、
前記処理が制御されて出力されたガイド映像信号を、そのガイド表示が前記映像表示器の画面の略中央の位置で行われるように前記番組表の映像信号に重畳するステップと、
この重畳出力を前記映像表示器の画面に表示すべく出力するステップと、
を具備したことを特徴とする映像信号出力方法。
【請求項９】
放送番組に関する番組情報を取得するステップと、
前記番組情報に基づき、映像表示器の画面に番組表を表示するための映像信号を生成するステップと、
前記番組情報から前記番組表で表示される追加特殊文字を検出するステップと、
前記検出された追加特殊文字に対応するガイドデータを、予め追加特殊文字とその意味合いを示すデータが記憶されたメモリから読み出して、前記追加特殊文字のガイドとして表示するための映像信号を生成するステップと、
前記ガイド映像信号を、当該ガイド表示が前記映像表示器の画面の略中央の位置で行われるように前記番組表の映像信号に重畳するステップと、
この重畳出力を前記映像表示器の画面に表示すべく出力するステップと、
を具備したことを特徴とする映像信号出力方法。
【発明の詳細な説明】
【技術分野】
【０００１】
この発明は、番組に関する情報に基づき、番組表を構築して表示させる映像信号出力装置に関し、特にその番組表における番組の内容等を特定の文字で表すいわゆる追加特殊文字で表現される意味合いをユーザに知らしめるようにした映像信号出力装置及び映像信号出力方法に関する。
【背景技術】
【０００２】
近年、テレビジョン放送のデジタル化が推進され、日本国内においては、ＣＳ（Communications Satellite）デジタル放送やＢＳ（Broadcasting Satellite）デジタル放送、地上波デジタル放送が実用に供されている。ここではこれらを総称してデジタル放送と呼ぶ。
【０００３】
一般に、デジタル放送では、例えばＭＰＥＧ（Moving Picture Experts Group）２規格に基づいて番組を構成する映像及び音声情報の他、データ放送としてのデータ、また、付加情報としてのメタデータが多重伝送されように構成されている。メタデータとして、ＳＩ（Service Information）、ＰＳＩ（Program Specific Information）等番組に関する情報を持つデータも含まれており、受信機において、受信信号からこのＳＩ情報を抽出して電子番組表、いわゆるＥＰＧ（Electronic Program Guide）を構築して画面表示し、視聴したい番組の選択（選局）あるいは視聴予約、録画予約のために用いることができる。
【０００４】
すなわち、デジタル放送受信装置ではデジタル放送チャンネルの選局を行って、選局された放送信号を復調してＴＳ（Transport Stream）を導出し、このＴＳからＳＩを分離抽出して、電子番組表（ＥＧＰ）を表示することが可能である。ユーザはこのＥＰＧから番組を選択したり、好みのジャンルを指定したりして所望のチャンネルを選局することが可能である。また、バナーという表示画面では、放送中の画面にＯＳＤ（On Screen Display）にて、現在放送している番組の番組名、放送時間、番組の属性等の番組情報が表示される。
【０００５】
ＳＩ情報の中で使用される文字セットには、漢字、英数、平仮名、方仮名や各放送によって規定される追加記号などがある。この文字セットは、チャンネルや番組の内容を示すための名称や番組説明等の記述に使用される。また、追加記号としては、既存の文字放送やＦＭ（Frequency Modulation)多重放送で用いられている追加記号、および番組情報として必要な新追加特殊文字や追加漢字が定義されている。
【０００６】
追加特殊文字は、ＪＩＳ（Japanese Industrial Standard）規格に規定されていない文字で、新聞やテレビ番組ガイド雑誌のラジオ・テレビ欄で表示されている四角形で囲まれた［Ｓ］（ステレオ放送）や［二］（２カ国語放送）と同様な表示をするために使用されるもので、数十以上の文字が規定されている。
【０００７】
ＥＰＧでは、各番組の表示枠は広からぬスペースに設定されるため、枠内で可能な限り情報を伝える必要があり、追加特殊文字も、一文字で所定の意味合いを表現させるような使われ方が多い。ユーザにとっては、普段接する機会の多い［天］（天気予報）、［Ｎ］（ニュース）等は、すぐに理解することができるが、見慣れない文字も使われることがあり、それがいかなる意味を持つものとして使われているのか理解できない場合には、操作を誤る虞もある。
【０００８】
そこで、本件出願人は、電子番組表（ＥＰＧ）表示中に、追加特殊文字がそれぞれどのような意味を持っているのかというガイドを電子番組表に重畳させて表示させ得るように構成して、ユーザにとって電子番組表を使い易いものにするということを実現した特許出願（特許文献１）を行っている。
【０００９】
この特許文献１に開示された技術によって、ユーザが電子番組表（ＥＰＧ）で表示される番組の内容を正確に理解できるようになるが、ガイドの表示形態をさらに見易くすれば、より使い易いものに発展させることができることを確認した。
【特許文献１】特開２００３−１９８９７６号公報
【発明の開示】
【発明が解決しようとする課題】
【００１０】
この発明は特許文献１をさらに改良して、追加特殊文字のガイドをより見易く表示することで、電子番組表の使い勝手を向上させた映像信号出力装置及び映像信号出力方法を提供することを目的とする。
【課題を解決するための手段】
【００１１】
この発明に係る映像信号出力装置は、放送番組に関する番組情報を取得する番組情報取得手段と、前記番組情報に基づき、映像表示器の画面に番組表を表示するための映像信号を生成する番組表映像生成手段と、予めメモリに記憶された前記番組表に用いられる追加特殊文字とその意味合いを示すデータを読み出して、前記追加特殊文字のガイドとして表示するための映像信号を生成するガイド映像生成手段と、前記ガイド映像信号を、当該ガイド表示が前記映像表示器の画面の略中央の位置で行われるように前記番組表の映像信号に重畳する映像信号重畳手段と、この映像信号重畳手段の出力を前記映像表示器の画面に表示すべく出力する出力手段と、を具備したことを特徴とする。
【００１２】
この発明に係る映像信号出力装置は、放送番組に関する番組情報を取得する番組情報取得手段と、前記番組情報に基づき、映像表示器の画面に番組表を表示するための映像信号を生成する番組表映像生成手段と、予めメモリに記憶された前記番組表に用いられる追加特殊文字とその意味合いを示すデータを読み出して、前記追加特殊文字のガイドとして複数の表示内容で切換表示可能に映像信号を生成するガイド映像生成手段と、前記映像表示器で表示される前記ガイドの表示内容を切換えるべく前記ガイド映像生成手段を制御する制御手段と、前記ガイド映像生成手段の出力映像信号を、そのガイド表示が前記映像表示器の画面の略中央の位置で行われるように前記番組表の映像信号に重畳する映像信号重畳手段と、この映像信号重畳手段の出力を前記映像表示器の画面に表示すべく出力する出力手段と、を具備したことを特徴とする。
【００１３】
この発明に係る映像信号出力装置は、放送番組に関する番組情報を取得する番組情報取得手段と、前記番組情報に基づき、映像表示器の画面に番組表を表示するための映像信号を生成する番組表映像生成手段と、前記番組情報から前記番組表で表示される追加特殊文字を検出する検出手段と、前記検出された追加特殊文字に対応するガイドデータを、予め追加特殊文字とその意味合いを示すデータが記憶されたメモリから読み出して、前記追加特殊文字のガイドとして表示するための映像信号を生成するガイド映像生成手段と、前記ガイド映像信号を、当該ガイド表示が前記映像表示器の画面の略中央の位置で行われるように前記番組表の映像信号に重畳する映像信号重畳手段と、この映像信号重畳手段の出力を前記映像表示器の画面に表示すべく出力する出力手段と、を具備したことを特徴とする。
【００１４】
この発明に係る映像信号出力方法は、放送番組に関する番組情報を取得するステップと、前記番組情報に基づき、映像表示器の画面に番組表を表示するための映像信号を生成するステップと、予めメモリに記憶された前記番組表に用いられる追加特殊文字とその意味合いを示すデータを読み出して、前記追加特殊文字のガイドとして表示するためのガイド映像信号を生成するステップと、前記ガイド映像信号を、当該ガイド表示が前記映像表示器の画面の略中央の位置で行われるように前記番組表の映像信号に重畳するステップと、この重畳された映像信号を前記映像表示器の画面に表示すべく出力するステップと、を具備したことを特徴とする。
【００１５】
この発明に係る映像信号出力方法は、放送番組に関する番組情報を取得するステップと、前記番組情報に基づき、映像表示器の画面に番組表を表示するための映像信号を生成するステップと、予めメモリに記憶された前記番組表に用いられる追加特殊文字とその意味合いを示すデータを読み出して、前記追加特殊文字のガイドとして複数の表示内容で切換表示可能に映像信号を生成するステップと、前記映像表示器で表示される前記ガイドの表示内容を切換えるべく前記ガイド映像生成処理を制御するステップと、前記処理が制御されて出力されたガイド映像信号を、そのガイド表示が前記映像表示器の画面の略中央の位置で行われるように前記番組表の映像信号に重畳するステップと、この重畳出力を前記映像表示器の画面に表示すべく出力するステップと、を具備したことを特徴とする。
【００１６】
この発明に係る映像信号出力方法は、放送番組に関する番組情報を取得するステップと、前記番組情報に基づき、映像表示器の画面に番組表を表示するための映像信号を生成するステップと、前記番組情報から前記番組表で表示される追加特殊文字を検出するステップと、前記検出された追加特殊文字に対応するガイドデータを、予め追加特殊文字とその意味合いを示すデータが記憶されたメモリから読み出して、前記追加特殊文字のガイドとして表示するための映像信号を生成するステップと、前記ガイド映像信号を、当該ガイド表示が前記映像表示器の画面の略中央の位置で行われるように前記番組表の映像信号に重畳するステップと、この重畳出力を前記映像表示器の画面に表示すべく出力するステップと、を具備したことを特徴とする。
【発明の効果】
【００１７】
上記した発明によれば、追加特殊文字ガイドを機能的により解り易く表示できるようになり、ユーザが番組内容を素早く確認することができるようになるものである。
【発明を実施するための最良の形態】
【００１８】
以下、この発明の実施の形態について図面を参照して詳細に説明する。図１は、この実施の形態で説明するデジタルテレビジョン放送受信装置１０１の外観と、このデジタルテレビジョン放送受信装置１０１を中心として構成されるネットワークシステムの一例を概略的に示している。
【００１９】
すなわち、デジタルテレビジョン放送受信装置１０１は、主として、薄型のキャビネット１０２と、このキャビネット１０２を起立させて支持する支持台１０３とから構成されている。そして、キャビネット１０２には、例えば液晶表示パネル等でなる平面パネル型の映像表示器１０４、スピーカ１０５、操作部１０６、リモートコントローラ１０７から送信される操作情報を受ける受光部１０８等が設置されている。
【００２０】
また、このデジタルテレビジョン放送受信装置１０１には、例えばＳＤ（Secure Digital）メモリカード、ＭＭＣ（Multi-media Card）及びメモリスティック等の第１のメモリカード１０９が着脱可能となっており、この第１のメモリカード１０９に対して番組や写真等の情報の記録再生が行なわれるようになっている。
【００２１】
さらに、このデジタルテレビジョン放送受信装置１０１には、例えば契約情報等の記録された第２のメモリカード（ＩＣカード）１１０が着脱可能となっており、この第２のメモリカード１１０に対して情報の記録再生が行なわれるようになっている。
【００２２】
また、このデジタルテレビジョン放送受信装置１０１は、第１のＬＡＮ（Local Area Network）端子１１１、第２のＬＡＮ端子１１２、ＵＳＢ（Universal Serial Bus）端子１１３及びｉ．Link端子１１４を備えている。
【００２３】
このうち、第１のＬＡＮ端子１１１は、ＬＡＮ対応ＨＤＤ（Hard Disk Drive）専用ポートとして使用されるもので、接続されたＮＡＳ（Network Attached Storage）であるＬＡＮ対応のＨＤＤ１１５に対して、イーサネット（登録商標）により情報の記録再生を行なうために使用される。
【００２４】
このように、ＬＡＮ対応ＨＤＤ専用ポートとしての第１のＬＡＮ端子１１１を設けることにより、他のネットワーク環境やネットワーク使用状況等に影響されることなく、ＨＤＤ１１５に対してハイビジョン画質による番組の情報記録を安定して行なうことができる。
【００２５】
また、第２のＬＡＮ端子１１２は、イーサネットを用いた一般的なＬＡＮ対応ポートとして使用されるもので、例えばハブ１１６を介して、ＬＡＮ対応のＨＤＤ１１７、ＰＣ（Personal Computer）１１８、ＨＤＤ内蔵のＤＶＤ（Digital Versatile Disk）レコーダ１１９等の機器を接続し、これらの機器と情報伝送を行なうために使用される。
【００２６】
この第２のＬＡＮ端子１１２は、ハブ１１６に接続されたブロードバンドルータ１２１を介して、例えばインターネット等のネットワーク１２２に接続し、そのネットワーク１２２を介してＰＣ１２３や携帯電話１２４等と情報伝送を行なうために使用される。
【００２７】
現在、インターネット経由で電子番組表（ＥＧＰ）に関する情報（Service information）を配信するサービスが行われている。
【００２８】
この発明においては、デジタルテレビジョン放送受信装置１０１は、上記のようにインターネットに接続できるように構成されており、例えばネットワーク１２２を介して電子番組表（ＥＧＰ）に関する情報を取得することが可能である。
【００２９】
また、上記ＵＳＢ端子１１３は、一般的なＵＳＢ対応ポートとして使用されるもので、例えばハブ１２５を介して、携帯電話１２６、デジタルカメラ１２７、メモリカードに対するカードリーダ／ライタ１２８、ＨＤＤ１２９、キーボード１３０等のＵＳＢ機器を接続し、これらのＵＳＢ機器と情報伝送を行なうために使用される。
【００３０】
デジタルテレビジョン放送受信装置１０１は、上記のように、ＵＳＢ端子１１３を介して携帯電話１２６、メモリカードに対するカードリーダ／ライタ１２８、ＨＤＤ１２９等と情報伝送を行なうことが可能である。それによって、携帯電話１２６、メモリカードに対するカードリーダ／ライタ１２８、ＨＤＤ１２９等からＵＳＢ端子１１３を介して電子番組表（ＥＧＰ）に関する情報を取得することが可能である。
【００３１】
さらに、上記ｉ．Link端子１１４は、例えばＡＶ（Audio Visual）−ＨＤＤ１３１、Ｄ（Digital）−ＶＨＳ（Video Home System）１３２等がシリアル接続され、これらの機器との間で情報伝送を行なうために使用される。
【００３２】
図２は、上記したデジタルテレビジョン放送受信装置１０１の主要な信号処理系を示している。すなわち、ＢＳ／ＣＳデジタル放送受信用のアンテナ２０１で受信した衛星デジタルテレビジョン放送信号は、入力端子２０２を介して衛星デジタル放送用のチューナ２０３に供給されることにより、所望のチャンネルの放送信号が選局される。
【００３３】
そして、このチューナ２０３で選局された放送信号は、ＰＳＫ（Phase Shift Keying）復調器２０４に供給されて、デジタルの映像信号及び音声信号に復調された後、信号処理部２０５に出力される。
【００３４】
ＢＳ／ＣＳデジタル放送には、電子番組表（ＥＧＰ）に関するＳＩ情報が重畳されており、この放送を入力ソースとしてＳＩ情報を取得することが可能である。
【００３５】
チューナ２０３で受信されたＢＳ／ＣＳデジタル放送は、制御部２２２からの制御信号に基づいて、受信信号から所定の伝送チャンネルを選択し、複数のチャンネル及び番組のデータを含む多重データを受信する。  信号処理部２０５は、受信信号のビットストリームに含まれる識別情報（ＩＤ）に基づいてパケットを分離し、さらに番組情報のＳＩ情報を分離する。  制御部２２２は、信号処理部２０５で取得されたＳＩ情報から、電子番組表の表示に要求される番組情報等のＯＳＤデータ信号を抽出し、ＯＳＤ信号生成部２１８へ出力する。
【００３６】
また、制御部２２２は、事前に選別された追加特殊文字及びその意味を示すガイドをＯＳＤデータ信号としてＯＳＤ信号生成部２１８へ出力する。この追加特殊文字の意味を示すガイドは例えば制御部２２２内の不揮発性メモリ２２５に予め格納される。この追加特殊文字ガイドは、不揮発性メモリ２２５に格納された追加特殊文字全てについて、その意味を表示してもよいし、使用頻度が高いと推定される追加特殊文字について、その意味を表示してもよい。
【００３７】
また、地上波放送受信用のアンテナ２０６で受信した地上デジタルテレビジョン放送（地上波デジタル放送）信号は、入力端子２０７を介して地上デジタル放送用のチューナ２０８に供給されることにより、所望のチャンネルの放送信号が選局される。
【００３８】
そして、このチューナ２０８で選局された放送信号は、ＯＦＤＭ（Orthogonal Frequency Division Multiplexing）復調器２０９に供給されて、デジタルの映像信号及び音声信号に復調された後、信号処理部２０５に出力される。
【００３９】
地上波デジタル放送も上記ＢＳ／ＣＳデジタル放送と同様に、放送番組に関するＳＩ情報が重畳されており、この放送を入力ソースとしてＳＩ情報を取得し、電子番組表を表示することが可能である。
【００４０】
上記と同様に、チューナ２０８で受信された地上波デジタル放送は、制御部２２２からの制御信号に基づいて、受信信号から所定の伝送チャンネルを選択し、複数のチャンネル及び番組のデータを含む多重データを受信する。
【００４１】
信号処理部２０５は、受信信号のビットストリームに含まれる識別情報（ＩＤ）に基づいてパケットを分離し、さら番組情報のＳＩ情報を分離する。
【００４２】
制御部２２２は、信号処理部２０５で取得されたＳＩ情報から、電子番組表の表示に要求される番組情報等のＯＳＤデータ信号を抽出し、ＯＳＤ信号生成部２１８へ出力する。また、上記と同様に、制御部２２２は、事前に選別された追加特殊文字及びその意味を示すガイドをＯＳＤデータ信号としてＯＳＤ信号生成部２１８へ出力する。この追加特殊文字の意味を示すガイドも、例えば制御部２２２内の不揮発性メモリ２２５に予め格納される。この追加特殊文字ガイドも、不揮発性メモリ２２５に格納された追加特殊文字全てについて、その意味を表示してもよいし、使用頻度が高いと推定される追加特殊文字について、その意味を表示してもよい。
【００４３】
また、地上波放送受信用のアンテナ２０６で受信した地上アナログテレビジョン放送信号は、入力端子２０７を介して地上アナログ放送用のチューナ２１０にも供給され、チューナ２１０で所望のチャンネルの放送信号が選局される。そして、このチューナ２１０で選局された放送信号は、アナログ復調器２１１に供給されてアナログの映像信号及び音声信号に復調された後、上記信号処理部２０５に出力される。
【００４４】
現在、国内の地上アナログ放送では、放送を入力ソースとしてＳＩ情報を取得することはあまり行われていない。この場合、上記のようにインターネットを介して電子番組表（ＥＧＰ）に関する情報を取得することが可能である。
【００４５】
また、一部の地上アナログ放送では、垂直帰線期間（Vertical Blanking Interval  ：ＶＢＩ）に電子番組表（ＥＧＰ）に関するＳＩ情報（Service Information）が重畳されており、上記ＢＳ／ＣＳデジタル放送や地上波デジタル放送と同様に、この放送を入力ソースとしてＶＢＩに重畳されたＳＩ情報を取得することも可能である。
【００４６】
ここで、上記信号処理部２０５は、ＰＳＫ復調器２０４及びＯＦＤＭ復調器２０９からそれぞれ供給されたデジタルの映像信号及び音声信号に対して、選択的に所定のデジタル信号処理を施し、グラフィック処理部２１２及び音声処理部２１３に出力している。
【００４７】
また、上記信号処理部２０５には、複数（図示の場合は４つ）の入力端子２１４，２１５，２１６，２１７が接続されている。これら入力端子２１４〜２１７は、それぞれ、アナログの映像信号及び音声信号を、デジタルテレビジョン放送受信装置１０１の外部から入力可能とするものである。
【００４８】
そして、この信号処理部２０５は、上記アナログ復調器２１１及び各入力端子２１４〜２１７からそれぞれ供給されたアナログの映像信号及び音声信号を選択的にデジタル化し、そのデジタル化された映像信号及び音声信号に対して所定のデジタル信号処理を施した後、グラフィック処理部２１２及び音声処理部２１３に出力している。
【００４９】
グラフィック処理部２１２は、信号処理部２０５から供給されるデジタルの映像信号に、ＯＳＤ信号生成部２１８で生成されるＯＳＤ信号を重畳して出力する機能を有する。このグラフィック処理部２１２は、信号処理部２０５の出力映像信号と、ＯＳＤ信号生成部２１８の出力ＯＳＤ信号とを選択的に出力すること、また、両出力をそれぞれ画面の半分を構成するように組み合わせて出力することができる。
【００５０】
グラフィック処理部２１８から出力されたデジタルの映像信号は、映像処理部２１９に供給される。この映像処理部２１９は、入力されたデジタルの映像信号を、映像表示器１０４で表示可能なフォーマットの映像信号に変換した後、映像表示器１０４に出力して映像表示させると共に、出力端子２２０を介して外部に導出させる。
【００５１】
また、上記音声処理部２１３は、入力されたデジタルの音声信号を、スピーカ１０５で再生可能なフォーマットのアナログ音声信号に変換した後、スピーカ１０５に出力して音声再生させるとともに、出力端子２２１を介して外部に導出させる。
【００５２】
ここで、このデジタルテレビジョン放送受信装置１０１は、上記した各種の受信動作を含むその全ての動作を制御部２２２によって統括的に制御されている。この制御部２２２は、ＣＰＵ（Central Processing Unit）等を内蔵しており、前記操作部１０６からの操作情報を受け、または、リモートコントローラ１０７から送出された操作情報を、前記受光部１０８を介して受信し、その操作内容が反映されるように各部をそれぞれ制御している。
【００５３】
この場合、制御部２２２は、主として、そのＣＰＵが実行する制御プログラムを格納したＲＯＭ（Read Only Memory）２２３と、このＣＰＵに作業エリアを提供するＲＡＭ（Random Access Memory）２２４と、各種の設定情報及び制御情報等が格納される不揮発性メモリ２２５とを利用している。
【００５４】
また、この制御部２２２は、カードＩ／Ｆ（Interface）２２６を介して、前記第１のメモリカード１０９が装着可能なカードホルダ２２７に接続されている。これによって、制御部２２２は、カードホルダ２２７に装着された第１のメモリカード１０９と、カードＩ／Ｆ２２６を介して情報伝送を行なうことができる。
【００５５】
すなわち、デジタルテレビジョン放送受信装置１０１は、カードＩ／Ｆ２２６を介して、前記第１のメモリカード１０９と情報伝送を行なうことが可能であり、第１のメモリカード１０９からカードＩ／Ｆ２２６を介して電子番組表（ＥＧＰ）を生成するための情報を取得することが可能である。  さらに、制御部２２２は、カードＩ／Ｆ２２８を介して、前記第２のメモリカード１１０が装着可能なカードホルダ２２９に接続されている。これにより、制御部２２２は、カードホルダ２２９に装着された第２のメモリカード１１０と、カードＩ／Ｆ２２８を介して情報伝送を行なうことができる。
【００５６】
すなわち、デジタルテレビジョン放送受信装置１０１は、カードＩ／Ｆ２２８を介して、前記第２のメモリカード１１０と情報伝送を行なうことが可能であり、第２のメモリカード１１０からカードＩ／Ｆ２２８を介して電子番組表（ＥＧＰ）を生成するための情報を取得することが可能である。
【００５７】
また、制御部２２２は、通信Ｉ／Ｆ２３０を介して第１のＬＡＮ端子１１１に接続されている。これにより、制御部２２２は、第１のＬＡＮ端子１１１に接続されたＬＡＮ対応のＨＤＤ１１５と、通信Ｉ／Ｆ２３０を介して情報伝送を行なうことができる。この場合、制御部２２２は、ＤＨＣＰ（Dynamic Host Configuration Protocol）サーバ機能を有し、第１のＬＡＮ端子１１１に接続されたＬＡＮ対応のＨＤＤ１１５にＩＰ（Internet Protocol）アドレスを割り当てて制御している。
【００５８】
すなわち、デジタルテレビジョン放送受信装置１０１は、第１のＬＡＮ端子１１１を介して、ＬＡＮ対応のＨＤＤ１１５と情報伝送を行なうことが可能であり、ＬＡＮ対応のＨＤＤ１１５から第１のＬＡＮ端子１１１を介して電子番組表（ＥＧＰ）を生成するための情報を取得することが可能である。
【００５９】
さらに、上記制御部２２２は、通信Ｉ／Ｆ２３１を介して第２のＬＡＮ端子１１２に接続されている。これにより、制御部２２２は、第２のＬＡＮ端子１１２に接続された各機器（図１参照）と、通信Ｉ／Ｆ２３１を介して情報伝送を行なうことができる。
【００６０】
すなわち、デジタルテレビジョン放送受信装置１１は、第２のＬＡＮ端子１１２を介して、第２のＬＡＮ端子１１２に接続された各機器と情報伝送を行なうことが可能であり、第２のＬＡＮ端子１１２に接続された各機器から第２のＬＡＮ端子１１２を介して電子番組表（ＥＧＰ）を生成するための情報を取得することが可能である。
【００６１】
また、制御部２２２は、ＵＳＢ Ｉ／Ｆ２３２を介して前記ＵＳＢ端子１１３に接続されている。これにより、制御部２２２は、ＵＳＢ端子１１３に接続された各機器（図１参照）と、ＵＳＢ Ｉ／Ｆ２３２を介して情報伝送を行なうことができる。
【００６２】
すなわち、デジタルテレビジョン放送受信装置１０１は、ＵＳＢ Ｉ／Ｆ２３２を介して、ＵＳＢ端子１１３に接続された各機器と情報伝送を行なうことが可能であり、ＵＳＢ端子１１３に接続された各機器からＵＳＢ Ｉ／Ｆ２３２を介して電子番組表（ＥＧＰ）を生成するための情報を取得することが可能である。
【００６３】
さらに、上記制御部２２２は、ｉ．Link Ｉ／Ｆ２３３を介してｉ．Link端子１１４に接続されている。これにより、制御部２２２は、ｉ．Link端子１１４に接続された各機器（図１参照）と、ｉ．Link Ｉ／Ｆ２３３を介して情報伝送を行なうことができる。
【００６４】
すなわち、デジタルテレビジョン放送受信装置１０１は、ｉ．Link Ｉ／Ｆ２３３を介して、ｉ．Link端子１１４に接続された各機器と情報伝送を行なうことが可能であり、ｉ．Link端子１１４に接続された各機器からｉ．Link Ｉ／Ｆ２３３を介して電子番組表（ＥＧＰ）を生成するための情報を取得することが可能である。
【００６５】
図３は、上記リモートコントローラ１７の外観を示している。このリモートコントローラ１７には、主として、電源キー３０１、入力切換キー３０２、衛星デジタル放送チャンネルのダイレクト選局キー３０３、地上波放送チャンネルのダイレクト選局キー３０４、クイックメニューを表示させるためのクイックキー３０５、カーソルキー３０６、決定キー３０７、電子番組表（ＥＰＧ）を表示させるための番組表キー３０８、ページ切換キー３０９、faceネット（ナビゲーション）キー３１０、戻るキー３１１、終了キー３１２、青、赤、緑、黄のカラーキー３１３、チャンネルアップダウンキー３１４、音量調整キー３１５等が設けられている。
【００６６】
図４は、この発明の実施の形態における番組情報の取得動作を説明するフローチャートである。  
ステップＳ４０１はここでの開始ステップである。続いてステップＳ４０２へ進む。  
ステップＳ４０２は番組情報の取得指示を行うステップである。番組情報の取得指示は例えばデジタルテレビジョン放送受信装置１０１に設けられる制御部２２２から実行されてもよい。この際、番組情報を取得するタイミングは制御部２２２によって制御される。
【００６７】
また、例えば、ユーザが上記リモートコントローラ１７の番組表キー３０８を操作する等して、デジタルテレビジョン放送受信装置１０１の制御部２２２に対して番組情報の取得を指示するように構成してもよい。続いてステップＳ４０３へ進む。
【００６８】
ステップＳ４０３は番組情報の入力ソースを複数の中から選択するステップである。例えば、後述する図５に示すように複数の番組情報の入力ソースの選択画面を表示する。ユーザはリモートコントローラ１７等を操作して複数の中から所望の入力ソースの選択を行うことができる。ここでは、この入力ソース選択に係る情報は不揮発性メモリ２２５に記憶される。
【００６９】
複数の番組情報の入力ソースは、例えば、放送および外部接続されるメモリの両者を受信可能に構成し、この両者の中から少なくとも一つの入力ソースを選択するように構成することも可能である。
【００７０】
なお、この番組情報の入力ソース選択処理は、予め決められた入力ソースが選択されるように、入力ソースを特定する情報を不揮発性メモリ２２５に記憶しておき、その情報に基づいて選択が行われるように構成することも可能である。
【００７１】
また、ここでは特に図示はしないが、番組情報の入力ソース選択は、デジタルテレビジョン放送受信装置１０１に接続された各番組情報の入力ソースの接続状況を制御部２２２が判断し、デジタルテレビジョン放送受信装置１０１に対して接続が確立されている入力ソースの中から選択するようにしてもよい。また、上記番組情報の取得指示を行うステップＳ４０２と番組情報の入力ソースを選択するステップＳ４０３は両者の順序を適宜変更することも可能である。続いてステップＳ４０４へ進む。
【００７２】
ステップＳ４０４は選択された入力ソースから番組情報を取得するステップである。この動作は制御部２２２によって制御される。続いてステップＳ４０５へ進む。
【００７３】
ステップＳ４０５は上記取得された番組情報をメモリへ記憶するステップである。上記取得された番組情報を例えば制御部２２２内の不揮発性メモリ２２５に記憶する。続いてステップＳ４０６へ進む。  
ステップＳ４０６は終了ステップであり、ここでの処理は終了する。
【００７４】
図５は、この発明の実施の形態におけるデジタルテレビジョン放送受信装置１０１に係る番組情報の入力ソースを選択するための表示画面の一例を説明する図である。
【００７５】
図５に示すように、映像表示器１０４の画面５０１には、例えば、ユーザがリモートコントローラ１７の入力切換キー３０２を操作することにより、番組情報の入力ソース選択画面が表示される。ユーザはリモートコントローラ１７のカーソルキー３０６と決定キー３０７を操作する等して、表示された番組情報の入力ソースの中から所望の入力ソースを選択する。ここでは、番組情報の入力ソースとして「放送」、「ＨＤＤ」、「ネットワーク（インターネット）」、「ＵＳＢ」、「ｉ．Link」が表示され、ユーザによって「ネットワーク（インターネット）」が選択されている例を示している。すなわち、ネットワーク（インターネット）に対応するチェックボックス５０２の表示が反転して、ユーザによって選択されたことを示している。
【００７６】
さて以上説明した処理によって、電子番組表（ＥＰＧ）を生成するためのＳＩ情報が取得され、これが制御部２２２内の不揮発性メモリ２２５に記憶される。ユーザが、電子番組表（ＥＰＧ）を映像表示器１０４に表示させたい場合には、例えばリモートコントローラ１７の番組表キー３０８を操作することになる。
【００７７】
それによって、不揮発性メモリ２２５から電子番組表のデータが読み出され、ＯＳＤ信号生成部５７において電子番組表として構築され、グラフィック処理部２１２、映像処理部２１９を介して映像表示器１０４に、図６に示すような電子番組表として表示される。
【００７８】
すなわち、図６に示すように、画面６０１に、１０月１４日水曜日の午前９時から午後１時まで、４チャンネル分の番組が表示されており、斜線で示すハイライト（カーソル）６０２が位置する番組が、番組表の下側に抽出された形６０３で表示されている。ハイライトは、リモートコントローラ１０７のカーソルキー３０６を操作することで、他の番組に移動させることが可能であり、最も端の番組に位置している状態でカーソルキー３０６を押し続けるとスクロールするように構成されている。
【００７９】
さて、目的の番組にハイライト位置させた状態で、リモートコントローラ１０７の決定キー３０７を操作すれば、その番組が将来の番組であれば、視聴予約あるいはＤＶＤレコーダ１１９、ＨＤＤ１１７等への録画予約を行うことが可能である。
【００８０】
番組を選択するための情報として、タイトル等文章で表示されるものの他、ユーザは、追加特殊文字で表現される番組内容あるいは放送形態を参酌するものであるが、追加特殊文字の意味するところが解らなかった場合、ユーザは、リモートコントローラ１０７のクイックキー３０５を操作して、画面にクイックメニューを表示させる要求を制御部２２２に対して行う。
【００８１】
制御部２２２は、これを受けて、不揮発性メモリ２２５からＯＳＤ信号生成部２１８にデータを送ってクイックメニューを表示するＯＳＤ信号を生成してグラフィック処理部２１２に出力する。
【００８２】
図７は、映像表示器１０４の画面７０１にクイックメニュー７０２が表示された状態を示すものである。クイックメニュー７０２には、追加特殊文字ガイド７０３が選択項目として含まれており、ユーザはリモートコントローラ１０７のカーソルキー３０６を操作して枠７０４で示すハイライトを追加特殊文字ガイド７０３に位置させて、決定キー３０７を操作することで、追加特殊文字ガイドを表示させることができる。
【００８３】
すなわち、制御部２２２は、リモートコントローラ１０７からの信号を受けて、不揮発性メモリ２２５からデータを読み出してＯＳＤ信号生成部２１８に送って、追加特殊文字ガイドを表示させるためのＯＳＤ信号を生成して出力する。
【００８４】
さらにこのとき、制御部２２２は、追加特殊文字ガイドが映像表示器１０４の画面中央部に表示されるようにＯＳＤ信号生成部２１８を制御する。  
それによって、図８に示すように、画面８０１の中央部に、追加特殊文字ガイド８０２が表示される。
【００８５】
この発明においては、追加特殊文字ガイド８０２が、画面８０１の中央部に表示されるようになるため、ユーザにとってガイドが見易くなり、番組内容を素早く正確に理解できるようになるものである。特に、テレビジョン放送受信装置１０１が、複数のソースから電子番組表を生成するための情報を入手可能としているため、使われる追加特殊文字の数も多くなることが予測され、図８に示すように画面８０１の中央部に表示されれば、ガイドを確実に見ることができるものである。
【００８６】
図９は、図６から図８で説明した追加特殊文字ガイドを表示させるための処理を改めて説明するためのフローチャートである。
【００８７】
図９において、ステップＳ９０１で開始され、ステップＳ９０２で電子番組表の表示指示があるか否かの判定がなされる。ステップＳ９０２で指示があったと判定されたら、ステップＳ９０３で、不揮発性メモリ２２５に記憶されている番組情報をＯＳＤ信号生成部２１８に出力する。
【００８８】
次いで、ステップＳ９０４で、ＯＳＤ信号生成部２１８で構築された電子番組表のＯＳＤ信号に基づいて、電子番組表を映像表示器１０４で表示させる。
【００８９】
次いで、ステップＳ９０５で、追加特殊文字ガイド表示の指示があるか否かの判定がなされ、指示があった場合には、ステップＳ９０６に進んで、不揮発性メモリ２２５に記憶されている追加特殊文字データを読み出して、ＯＳＤ信号生成部２１８に出力して、追加特殊ガイドのＯＳＤ信号を生成する。
【００９０】
次いで、ステップＳ９０７で、追加特殊文字ガイドを、それが映像表示器１０４の画面の中央に配置されるように電子番組表に重ねて表示する。
【００９１】
次にステップＳ９０８に進んで、追加特殊文字ガイド表示を終了する旨の指示があるか否かの判定がなされ、指示がない場合には、ステップＳ９０６に戻って、追加特殊文字ガイドの表示を継続する。
【００９２】
ステップＳ９０８で、ガイドの表示終了指示があったと判定されたら、ステップＳ９０９で追加特殊文字ガイド表示を終了して、ステップＳ９１０に進み、電子番組表の表示終了指示があるか否かの判定がなされ、指示がない場合には、ステップＳ９０３に戻って電子番組表の表示を継続し、電子番組表の表示を終了する指示があった場合には、ステップＳ９１１で電子番組表の表示を終了した後、ステップＳ９１２で処理を終了する。
【００９３】
なお、ステップＳ９０５で追加特殊文字ガイド表示の指示がないと判定された場合には、追加特殊文字ガイド表示のための処理をスキップして、ステップＳ９１０に進む。
【００９４】
以上の処理が実行されることで、追加特殊文字ガイドを映像表示器１０４に適切に表示させることができるものである。
【００９５】
さらに、複数のソースから電子番組表のデータを取得することから、使われる追加特殊文字も多くなることが想定でき、その場合には、ガイド表示を複数ページに分け、各ページが例えばサイクリックに順次切換えられて表示されるように構成することも可能である。
【００９６】
この実施の形態においては、例えばガイド表示をデフォルトで表示される初期表示ページと、ページ繰り操作で表示されるページとで構成し、初期表示ページには使用（表示）される頻度が高い追加特殊文字を対応させ、他のページでは、頻度の低い追加特殊文字を配置するように構成することが可能である。
【００９７】
図１０にページ繰り方式のガイド表示における画面構成の例を示す。図１０に示すように、画面１００１に初期表示される追加特殊文字ガイド１００２の下部に、次ページに切換表示するための下方向の三角マーク１００３を表示させておいて、ユーザがリモートコントローラ１０７のカーソルキー３０６を下方向に操作することで、追加特殊文字ガイドの次のページを表示させることができるように構成することができる。
【００９８】
すなわち、制御部２２２は、ユーザによるリモートコントローラ１０７のカーソルキー３０６の操作を受けて、不揮発性メモリ２２５から、追加特文字データの次ページに相当する部分を読み出して、ＯＳＤ信号処理部２１８に出力してＯＳＤ信号を生成させ、追加特殊文字ガイドが他のページで表示されるべく切換えるように制御する。
【００９９】
図１１は、その結果、映像表示器１０４の画面１１０１に表示される追加特殊文字ガイド１１０２の具体例を示すものであり、その下部に前のページへページ繰りするための上方向の三角マーク１１０３が表示されている。
【０１００】
以上説明した実施の形態によれば、電子番組表に多数の追加特殊文字が使用されている場合でも、簡単に、その文字の意味合いを確認することができるものである。
【０１０１】
さらに、追加特殊文字ガイドの表示形態として、全ての追加特殊文字を一括で画面表示させる構成を採ることも可能である。この実施の形態においては、初期表示では追加特殊文字の一部の表示に留め、その状態から追加特殊文字の全てを一度に表示すべく切換表示するように構成することができる。
【０１０２】
図１２及び図１３は、その実施の形態によって画面表示される追加特殊文字ガイドの例を示すものであり、図１２では、画面１２０１に追加特殊文字ガイド１２０２が初期表示されており、その下部に、全文字表示に切換えるための右向きの三角マーク１２０３が表示されている。
【０１０３】
ユーザが、リモートコントローラ１０７のカーソルキー３０６を操作することで、追加特殊文字の全ての文字のガイドが表示されるように切換わるものである。すなわち、制御部２２２は、リモートコントローラ１０７の操作を受けて、不揮発性メモリ２５から、全ての追加特殊文字データとガイドデータを読み出して、ＯＳＤ信号処理部２１８に出力してＯＳＤ信号を生成させ、全ての文字の追加特殊文字ガイドが表示されるべく切換えるように制御する。
【０１０４】
その結果、図１３に示すように、映像表示器１０４の画面１３０１に、全ての追加特殊文字のガイド１３０２が表示される。ガイド１３０２の下部に初期表示へ戻すための左方向の三角マーク１３０３が表示されている。
【０１０５】
この実施の形態においては、全ての特殊文字のガイドを一度に見ることができるため、目的の特殊文字を確実に探し出すことができる。特に映像表示器１０４の画面サイズが大きい場合には、特殊文字を探す行為を簡単に実行することができるものである。
【０１０６】
図１４及び図１５は、追加特殊文字ガイドの表示を切換えて行うという実施の形態の処理の説明を改めて行うためのフローチャートであり、図１４がページ繰りによる表示切換の処理を示し、図１５が特殊文字の一部と全部の表示切換処理の例を示すものである。なお、図１４及び図１５に示す処理は、図９に示す処理の電子番組表に関する処理部分を省略して示している。
【０１０７】
図１４において、ステップＳ１４０１で開始され、ステップＳ１４０２で追加特殊文字ガイド表示の指示があるか否かの判定がなされる。この処理は、指示あると判定されるまで継続してなされる。
【０１０８】
追加特殊文字ガイド表示の指示があると判定された場合には、ステップＳ１４０３に進んで、不揮発性メモリ２２５に記憶されている追加特殊文字ガイド初期データを読み出してＯＳＤ信号生成部２１８へ出力し、初期追加特殊文字ガイドのＯＳＤ信号を生成させる。この初期データは、例えば全ての特殊文字の中から、使われる頻度に基づいて選択された文字のデータで構成される。
【０１０９】
次いで、ステップＳ１４０４で、追加特殊文字の初期データに基づくガイド表示を行い、ステップＳ１４０５に進む。ステップＳ１４０５では、ガイドの表示ページ変更指示があるか否かの判定が行われ、指示がある場合には、ステップＳ１４０６に進み、ない場合にはステップＳ１４１２に進む。
【０１１０】
ステップＳ１４０６では、追加特殊文データの中から、該当するページのデータを不揮発性メモリ２２５から読み出して、ＯＳＤ信号処理部２１８へ送り、そのページを表示させるためのＯＳＤ信号を生成させる。
【０１１１】
次いでステップＳ１４０７で、追加特殊文字ガイドの変更されたページを表示して、ステップＳ１４０８に進む。ステップＳ１４０８では、追加特殊文字ガイドを初期データ表示に戻す指示があるか否かの判定がなされ、指示がある場合にはステップＳ１４０３に戻って、追加特殊文字データの初期データを表示するための処理を実行する。
【０１１２】
また指示がないと判定された場合には、ステップＳ１４０９で追加特殊文字ガイドの表示終了指示があるか否かの判定がなされ、指示がない場合にはステップＳ１４０７に戻って、ガイドの変更されたページの表示を継続し、指示がある場合には、ステップＳ１４１０で追加特殊文字ガイド表示を終了して、ステップＳ１４１１で処理を終了する。
【０１１３】
さらに、ステップＳ１４１２では、追加特殊文字ガイドの表示終了指示があるか否かの判定がなされ、指示がない場合にはステップＳ１４０４に戻って、ガイドの初期データ表示を継続し、指示がある場合には、ステップＳ１４１０からステップＳ１４１１に進んで処理を終了する。
【０１１４】
図１５に示す処理では、ステップＳ１５０１で開始され、ステップＳ５１０２で追加特殊文字ガイド表示の指示があるか否かの判定がなされる。この処理は、指示あると判定されるまで継続してなされる。
【０１１５】
追加特殊文字ガイド表示の指示があると判定された場合には、ステップＳ１５０３に進んで、不揮発性メモリ２２５に記憶されている追加特殊文字ガイド初期データを読み出してＯＳＤ信号生成部２１８へ出力し、初期追加特殊文字ガイドのＯＳＤ信号を生成させる。この初期データは、例えば全ての特殊文字の中から、使われる頻度に基づいて選択された文字のデータで構成される。
【０１１６】
次いで、ステップＳ１５０４で、追加特殊文字の初期データに基づくガイド表示を行い、ステップＳ１５０５に進む。ステップＳ１５０５では、追加特殊文字の一括表示指示があるか否かの判定が行われ、指示がある場合には、ステップＳ１５０６に進み、ない場合にはステップＳ１５１２に進む。
【０１１７】
ステップＳ１５０６では、全ての追加特殊文字データを不揮発性メモリ２２５から読み出して、ＯＳＤ信号処理部２１８へ送り、全ての追加特殊文字を表示させるためのＯＳＤ信号を生成させる。
【０１１８】
次いでステップＳ１５０７で、全ての追加特殊文字のガイドを表示して、ステップＳ１５０８に進む。ステップＳ１５０８では、追加特殊文字ガイド表示を初期データ表示に戻す指示があるか否かの判定がなされ、指示がある場合にはステップＳ１５０３に戻って、追加特殊文字データの初期データを表示するための処理を実行する。
【０１１９】
また指示がないと判定された場合には、ステップＳ１５０９で追加特殊文字ガイドの表示終了指示があるか否かの判定がなされ、指示がない場合にはステップＳ１５０７に戻って、全ての追加特殊文字のガイド表示を継続し、指示がある場合には、ステップＳ１５１０で追加特殊文字ガイド表示を終了して、ステップＳ１５１１で処理を終了する。
【０１２０】
さらに、ステップＳ１５１２では、追加特殊文字ガイドの表示終了指示があるか否かの判定がなされ、指示がない場合にはステップＳ１５０４に戻って、ガイドの初期データ表示を継続し、指示がある場合には、ステップＳ１５１０からステップＳ１５１１に進んで処理を終了する。
【０１２１】
以上説明した、この発明の実施の形態によれば、追加特殊文字ガイド表示を、追加特殊文字の一部のガイドを初期ページとして表示する初期表示と、他の追加特殊文字で構成されるページの表示とを切換えたり、あるいは追加特殊文字の一部のガイドを表示する初期表示と、全ての追加特殊文字のガイドを表示する一括表示とを切換えるようにしたので、より簡単にかつ確実に追加特殊文字の意味合いを認識することができるようになるものである。
【０１２２】
なお、以上の説明では、追加特殊文字ガイドの表示を切換る都度、不揮発性メモリ２２５から該当するデータを読み出すものとしたが、全てのデータを読み出して、例えばＲＡＭ２２４に保存しておき、切換えられる表示内容に応じて読み出してＯＳＤ信号生成回路２１８に供給してＯＳＤ信号を生成させるように構成することも可能である。
【０１２３】
さらに、以上の説明では、追加特殊文字データを、予め、その意味合いを示すガイドデータと共に不揮発性メモリ２２５に記憶しておくものとしたが、例えば、表示されている電子番組表に使われている追加特殊文字を検出して、その文字に対するデータのみ不揮発性メモリ２２５から読み出して、ガイド表示するように構成することも可能である。
【０１２４】
以上のように、本発明によれば、複数のソースから電子番組表を表示するための情報を取得して、電子番組表を表示するように構成されるデジタルテレビジョン放送受信装置においても、ユーザにとって使い勝手のよい、追加特殊文字ガイド表示を行うことができる映像信号出力装置を提供することができるものである。
【図面の簡単な説明】
【０１２５】
【図１】この発明の実施の形態を示すもので、デジタルテレビジョン放送受信装置とそれを中心として構成されるネットワークシステムの一例を概略的に説明するために示す図。
【図２】同実施の形態におけるデジタルテレビジョン放送受信装置の主要な信号処理系を説明するために示すブロック構成図。
【図３】同実施の形態におけるデジタルテレビジョン放送受信装置のリモートコントローラを説明するために示す外観図。
【図４】同実施の形態における番組情報の取得動作を説明するフローチャート。
【図５】同実施の形態におけるデジタルテレビジョン放送受信装置に係る番組情報の入力ソースを選択するための表示画面の一例を説明する図。
【図６】同実施の形態において表示される電子番組表の内容を説明するために示す図。
【図７】同実施の形態において追加特殊文字ガイドを表示させるための操作手順を説明するために示す図。
【図８】図７に示す操作手順によって、画面表示される追加特殊文字ガイドの一例を説明するために示す図。
【図９】同実施の形態において、電子番組表と追加特殊文字ガイドを表示させるための処理を説明するために示すフローチャート。
【図１０】同実施の形態における追加特殊文字ガイドの他の画面表示例を説明するために示す図。
【図１１】図１０に示す追加特殊文字ガイド表示を切換えた際の表示例を説明するために示す図。
【図１２】同実施の形態における追加特殊文字ガイドのさらに他の画面表示例を説明するために示す図。
【図１３】図１２に示す追加特殊文字ガイド表示を切換えた際の表示例を説明するために示す図。
【図１４】図１０及び図１１に示す追加特殊文字ガイドの他の画面表示例の処理を説明するためのフローチャート。
【図１５】図１２及び図１３に示す追加特殊文字ガイドの他の画面表示例の処理を説明するためのフローチャート。
【符号の説明】
【０１２６】
１０１…デジタルテレビジョン放送受信装置、１０２…キャビネット、１０３…支持台、１０４…映像表示器、１０５…スピーカ、１０６…操作部、１０７…リモートコントローラ、１０８…受光部、１０９…第１のメモリカード、１１０…第２のメモリカード、１１１…第１のＬＡＮ端子、１１２…第２のＬＡＮ端子、１１３…ＵＳＢ端子、１１４…ｉ．Link端子、１１５…ＨＤＤ、１１６…ハブ、１１７…ＨＤＤ、１１８…ＰＣ、１１９…ＤＶＤレコーダ、１２０…アナログ伝送路、１２１…ブロードバンドルータ、１２２…ネットワーク、１２３…ＰＣ、１２４…携帯電話、１２５…ハブ、１２６…携帯電話、１２７…デジタルカメラ、１２８…カードリーダ／ライタ、１２９…ＨＤＤ、１３０…キーボード、１３１…ＡＶ−ＨＤＤ、１３２…Ｄ−ＶＨＳ、１３３…アンテナ、１３４…入力端子、１３５…チューナ、１３６…ＰＳＫ復調器、１３７…信号処理部、１３８…アンテナ１３９…入力端子、１４０…チューナ、１４１…ＯＦＤＭ復調器、１４２…チューナ、１４３…アナログ復調器、１４４…グラフィック処理部、１４５…音声処理部、２１４〜２１７…入力端子、２１８…ＯＳＤ信号生成部、２１９…映像処理部、２２０…出力端子、２２１…出力端子、２２２…制御部、２２３…ＲＯＭ、２２４…ＲＡＭ、２２５…不揮発性メモリ、２２６…カードＩ／Ｆ、２２７…カードホルダ、２２８…カードＩ／Ｆ、２２９…カードホルダ、２３０…通信Ｉ／Ｆ、２３１…通信Ｉ／Ｆ、２３２…ＵＳＢ Ｉ／Ｆ、２３３…ｉ．Link Ｉ／Ｆ
【図１】
2006094231.tif 000003
【図２】
2006094231.tif 000004
【図３】
2006094231.tif 000005
【図４】
2006094231.tif 000006
【図５】
2006094231.tif 000007
【図６】
2006094231.tif 000008
【図７】
2006094231.tif 000009
【図８】
2006094231.tif 000010
【図９】
2006094231.tif 000011
【図１０】
2006094231.tif 000012
【図１１】
2006094231.tif 000013
【図１２】
2006094231.tif 000014
【図１３】
2006094231.tif 000015
【図１４】
2006094231.tif 000016
【図１５】
2006094231.tif 000017